(57)【要約】【課題】印字体の反りの発生を防止して鮮明な印影を得ることができる印判を提供する。【解決手段】下部に吸蔵体２ｂおよび印字体２ａを有する本体１と、該本体１を昇降動自在に収納するカバー部材３を有し、前記本体１の上面に左右一対の支柱６、６を突設するとともに、この支柱６には前記カバー部材３に対して本体１を常に上向きに付勢する弾性部材７を装着し、前記支柱６には一対の支柱６、６間の距離を一定に保持するための橋渡し部材８を装着した。また、前記橋渡し部材８は、弾性部材７の上端を固定するための固定部を兼ねているのが好ましく、更に、前記本体１には着脱自在にセットされるインキカートリッジ５を有しており、橋渡し部材８の中央部には、インキカートリッジ５挿通用の孔部８ａが形成されているのが好ましい。【選択図】図３
2020203445.tif 000002
【特許請求の範囲】
【請求項１】
下部に吸蔵体および印字体を有する本体と、該本体を昇降動自在に収納するカバー部材を有し、
前記本体の上面に左右一対の支柱を突設するとともに、この支柱には前記カバー部材に対して本体を常に上向きに付勢する弾性部材を装着し、
前記支柱には一対の支柱間の距離を一定に保持するための橋渡し部材を装着したことを特徴とする印判。
【請求項２】
橋渡し部材は、弾性部材の上端を固定するための固定部を兼ねている請求項１に記載の印判。
【請求項３】
前記本体には着脱自在にセットされるインキカートリッジを有しており、橋渡し部材の中央部には、インキカートリッジ挿通用の孔部が形成されている請求項１または２に記載の印判。
【発明の詳細な説明】
【技術分野】
【０００１】
本発明は、印字体の反りの発生を防止して鮮明な印影を得ることができる印判に関するものである。
【背景技術】
【０００２】
従来から、ホルダを押し下げると印字体が露出してスタンプが押印される形式の印判は公知であり、会社関係、学校関係、病院関係等で広く使用されている。このような印判は、下部に印字体を有し、カバー部材内を自在に昇降動する本体と、この本体に着脱自在にセットされる筒状のインキカートリッジを有する構造となっており、インキカートリッジの交換によって長期間にわたって捺印が可能である。
なお、前記インキカートリッジとしては、内部に吸蔵体を充填した吸蔵式のものが一般的である。
【０００３】
このような印判では、前記本体は合成樹脂製のものが普通である。このため長時間使用していると、捺印荷重がかかる中央部分だけが下側へ湾曲するように変形したり、樹脂が経時的に変形して内側あるいは外側へ反りを発生したりする現象があり、この結果、印影に欠けが発生するという不具合が生じた。
【０００４】
一方、本件出願人は特許文献１に示すように、ホルダの天井から円筒部を垂設して、該円筒部の内周壁で本体の筒状補充口の外周壁を支えることにより、前記補充口の外側への反りを防止する構造を先に開示している。しかしながら、特許文献１に記載の印判では、補充口の外側への反りは防止できるものの内側への反りを防止することができず、この結果、本体が湾曲して印影に欠けが発生するという不具合を完全に防止することができないという問題があった。
【先行技術文献】
【特許文献】
【０００５】
【特許文献１】特開平８−３００７８８号公報
【発明の概要】
【発明が解決しようとする課題】
【０００６】
本発明は上記のような従来の問題点を解決して、印字体の反りの発生を防止して鮮明な印影を得ることができる印判を提供することを目的とするものである。また、インキカートリッジとして、吸蔵式のものに限らず直液式のものであっても、適切にインキの供給を行うことができる印判を提供することを目的とするものである。
【課題を解決するための手段】
【０００７】
上記課題を解決するためになされた本発明の印判は、下部に吸蔵体および印字体を有する本体と、該本体を昇降動自在に収納するカバー部材を有し、
前記本体の上面に左右一対の支柱を突設するとともに、この支柱には前記カバー部材に対して本体を常に上向きに付勢する弾性部材を装着し、
前記支柱には一対の支柱間の距離を一定に保持するための橋渡し部材を装着したことを特徴とするものであり、これを請求項１に係る発明とする。
【０００８】
また、その他の好ましい実施形態によれば、前記橋渡し部材は、弾性部材の上端を固定するための固定部を兼ねているのが好ましく、これを請求項２に係る発明とする。
【０００９】
好ましい実施形態によれば、前記本体には着脱自在にセットされるインキカートリッジを有しており、橋渡し部材の中央部には、インキカートリッジ挿通用の孔部が形成されているのが好ましく、これを請求項３に係る発明とする。
【発明の効果】
【００１０】
請求項１に係る発明では、下部に吸蔵体および印字体を有する本体と、該本体を昇降動自在に収納するカバー部材を有し、前記本体の上面に左右一対の支柱を突設するとともに、この支柱には前記カバー部材に対して本体を常に上向きに付勢する弾性部材を装着し、前記支柱には一対の支柱間の距離を一定に保持するための橋渡し部材を装着したので、捺印時に本体に荷重がかかったり、経時変化等により支柱が内側あるいは外側へ変形しようとしても、橋渡し部材によって支柱間の距離が一定に保持されているため支柱の変形が防止され、この結果、本体の変形が防止されて印影に欠けが発生するという不具合は生じなくなる。
【００１１】
また、請求項２に係る発明では、前記橋渡し部材は、弾性部材の上端を固定するための固定部を兼ねているものとしたので、構造がシンプルとなり、かつ部品点数も少なくすることができる。
【００１２】
また、請求項３に係る発明では、前記本体には着脱自在にセットされるインキカートリッジを有しており、橋渡し部材の中央部には、インキカートリッジ挿通用の孔部が形成されているので、インキカートリッジの着脱を簡単に行うことができ、またインキカートリッジのグラつきも防止することができる。
【図面の簡単な説明】
【００１３】
【図１】本発明の実施の形態を示す正面図である。
【図２】本発明の実施の形態を示す斜視である。
【図３】図２のＡ−Ａ断面図である。
【図４】図２のＢ−Ｂ断面図である。
【図５】橋渡し部材の平面図である。
【図６】橋渡し部材の斜視図である。
【図７】橋渡し部材と支柱の係合状態を示す説明図で、(ａ)は係合前の状態を示す図、(ｂ)は係合開始時の状態を示す図、(ｃ)は係合完了直前の状態を示す図、(ｄ)は係合完了した状態を示す図ある。
【発明を実施するための形態】
【００１４】
以下に、図面を参照しつつ本発明の好ましい実施の形態を示す。
図１は、本発明に係る印判を示す正面図、図２は斜視図、図３は図２のＡ−Ａ断面図、図４は図２のＢ−Ｂ断面図である。
図において、１は本体であり、下部に印字体２ａと、吸蔵体２ｂを有している。この本体１は、カバー部材３内を自在に昇降動するように構成されている。３ａはウィング式に開閉する一対の扉、４は前記本体１を覆うホルダであり、また、前記本体１には筒状のインキカートリッジ５が着脱自在にセットされている。なお、以上の構成は従来のこの種の昇降動式印判と基本的に同じである。また、前記インキカートリッジ５は、吸蔵式と直液式のいずれも含むものである。
【００１５】
前記本体の上面には、左右一対の支柱６、６が突設されており、また、この支柱６には前記カバー部材３に対して本体１を常に上向きに引き上げるように付勢する弾性体７（図示のものでは、コイルバネ）が装着されている。前記支柱６は、本体１の天板１ａの左右に一対立設されており、この支柱６がカバー部材３の水平仕切板３ｂの孔部３ｃを貫通して上方に突出している。また、前記支柱の先端部には一対の支柱間の距離を一定に保持するための橋渡し部材８が装着してある。なお、この橋渡し部材８については後述する。
更に、前記支柱６には弾性体７が装着されていて、水平仕切板３ｂと橋渡し部材８との間を常に拡げるように弾発力が作用しており、この結果、本体１は常に引き上げられて印字体２ａがカバー部材３内に収納された状態となっている。
【００１６】
前記橋渡し部材８は、左右の支柱６、６の先端部に装着されて、支柱間の距離を一定に保持する働きをするものである。即ち、本体１に捺印荷重がかかったり、樹脂が経年変形を生じたりした場合であっても、支柱間の距離を一定に保持することで支柱６が内側あるいは外側のいずれにも撓まないように制御し、結果的として本体１が弧状に膨らんだり凹んだりする変形を防止するものである。
【００１７】
図５および図６に示されるように、橋渡し部材８は、中央にインキカートリッジ５の挿通孔８ａが形成されており、左右の端部には支柱６の先端部と係合するための係合孔８ｂが形成されている。また、係合孔８ｂに対峙する側には、支柱６の係合が外れないようにするための爪片８ｃが形成されている。この橋渡し部材８と支柱６との係合動作は以下の通りである。
【００１８】
図７(ａ)に示されるように、橋渡し部材８の係合孔８ｂを支柱６の先端部に近づけるように下げていく。次いで、前記係合孔８ｂの下側コーナ部が支柱６の先端部に当接した後も更に橋渡し部材８を下げていくと、係合孔８ｂの下側コーナ部は支柱６の傾斜面６ａに沿ってスムースに下降していく（図７(ｂ)を参照）。その後、前記係合孔８ｂが支柱６の溝部６ｂと一致する位置まで下がる。この時、支柱６の先端部に押されて塑性変形していた橋渡し部材８の爪片８ｃが支柱６を押圧する（図７(ｃ)を参照）。次いで、図７(ｄ)に示されるように、係合孔８ｂを形成する板部が支柱６の溝部６ｂに嵌合するとともに、前記爪片８ｃは直線形状に復帰する。この爪片８ｃの形状復帰により、係合孔８ｂを形成する板部と支柱６の溝部６ｂとの嵌合は嵌め殺し状態となり、嵌合が自然に外れることはなくなる。
【００１９】
前記橋渡し部材８は、支柱６に装着した弾性体７の上端を固定するための固定部を兼ねるものとなっている。即ち、本体１はカバー部材３内を自在に昇降動する構造であり、印字体２ａを有する本体１は常時は弾性体７に付勢されて引き上げられた状態にあり、捺印時には弾力に反して、印字体２ａを押し下げる構造となっている。従って、前記支柱６には弾力を付与するための弾性体７が装着されているが、前記橋渡し部材８を弾性体７の上端を固定するための固定部を兼ねるものとすることにより、部品点数の少ないシンプルな構造で、かつ組立手順も簡単であるものを実現している。また、支柱６と橋渡し部材８とが嵌め殺しの構造であることにより、弾性体７が支柱６から不用意に外れてしまうのを防止する事が可能である。
【００２０】
また、前記橋渡し部材８の中央部には、インキカートリッジ挿通用の孔部８ａが形成されており、インキカートリッジ５を前記孔部８ａに挿通するのみで簡単に着脱操作を行うことができ、またセットしたインキカートリッジ８は前記孔部８ａに支えられてグラつきを発生することもなく、安定した装着状態が保持される構造となっている。
なお、本発明のインキカートリッジは、吸蔵式と直液式のいずれも含むものであるが、インキ供給口を吸蔵体２ｂに密着させているので、直液式のタイプに対して安定したインキの供給を行うことができるという利点がある。
【００２１】
以上のように構成した印判では、本体の上面に左右一対の支柱を突設するとともに、この支柱には本体を常に上向きに付勢する弾性部材を装着し、前記支柱の先端部には一対の支柱間の距離を一定に保持するための橋渡し部材を装着した構造であるので、捺印時に本体に荷重がかかったり、経時変化等により支柱が内側あるいは外側へ変形しようとしても、橋渡し部材によって支柱間の距離が一定に保持されているため、本体の変形が防止されて印影に欠けが発生することがなくなる。また、構造がシンプルで、かつ部品点数も少なく組立作業も簡単にすることができ、また、インキカートリッジの着脱を簡単に行うことができ、またインキカートリッジのグラつきも防止することができるという利点もある。
【符号の説明】
【００２２】
１  本体
１ａ  天板
１ｂ  支柱
２ａ  印字体
２ｂ  吸蔵体
３  カバー部材
３ａ  扉
３ｂ  水平仕切板
３ｃ  孔部
４  ホルダ
５  インキカートリッジ
６  支柱
６ａ  傾斜面
６ｂ  溝部
７  弾性体
８  橋渡し部材
８ａ  挿通孔
８ｂ  係合孔
８ｃ  爪片
【図１】
2020203445.tif 000003
【図２】
2020203445.tif 000004
【図３】
2020203445.tif 000005
【図４】
2020203445.tif 000006
【図５】
2020203445.tif 000007
【図６】
2020203445.tif 000008
【図７】
2020203445.tif 000009